(57)【特許請求の範囲】
【請求項１】
磁気テープの走行速度を基準速度ＶＲＥＦとし、１フレームの画像信号をＮ個（Ｎは２以上の整数）の傾斜トラックに分割して記録する基準モード、
磁気テープの走行速度を基準速度ＶＲＥＦの１／２とし、１フレームの画像信号をＮ／２個の傾斜トラックに分割して記録する半速モード、及び
磁気テープの走行速度を基準速度ＶＲＥＦの１／３とし、１フレームの画像信号をＮ／２個の傾斜トラックに分割して記録する１／３速モード
のうち、前記半速モード及び１／３速モードの少なくとも一方で画像信号を磁気テープに記録し、記録された磁気テープから磁気ヘッドを介して信号を再生し、該再生信号に所定の再生処理を施して出力する画像信号記録再生装置において、
前記半速モードまたは１／３速モードで記録された磁気テープを、記録時の走行速度のｎ（≠１）倍の走行速度で再生する変速再生を行うときは、倍速数ｎを、下記式（１）及び（２）の少なくとも一方を用いて得られる値の近傍の値に設定することを特徴とする画像信号記録再生装置：
（１）ｎ＝Ｎ（２ｍ＋１）／（２ｉ−１）±２／（２ｉ−１）
（２）ｎ＝Ｎｍ／ｉ±１／ｉ
（ｉは１から１０までの整数、ｍは負の数を含む整数）。
【請求項２】
倍速数ｎの絶対値が（Ｎ−２）以上のときは、変数ｉを１に設定し、倍速数ｎの絶対値が（Ｎ−２）より小さいときは、変数ｉを２以上の値に設定することを特徴とする請求項１に記載の画像信号記録再生装置。
【請求項３】
回転ドラム上に１８０度の角度間隔で配置され、ギャップのアジマスが互いに異なる第１及び第２の磁気ヘッドと、前記第２の磁気ヘッドと同一アジマスのギャップを有し、前記第１の磁気ヘッドに対して所定の相対位置関係となるように前記回転ドラム上に配置された第３の磁気ヘッドとを備え、
磁気テープの走行速度を基準速度ＶＲＥＦとし、前記第１及び第２の磁気ヘッドを用いて１フレームの画像信号をＮ個の傾斜トラックに分割して記録する基準モード、
磁気テープの走行速度を基準速度ＶＲＥＦの１／２とし、前記第１及び第３の磁気ヘッドを用いて１フレームの画像信号をＮ／２個の傾斜トラックに分割して記録する半速モード、及び
磁気テープの走行速度を基準速度ＶＲＥＦの１／３とし、前記第１及び第３の磁気ヘッドを用いて１フレームの画像信号をＮ／２個の傾斜トラックに分割して記録する１／３速モード
のうち、前記半速モード及び１／３速モードの少なくとも一方で画像信号を磁気テープに記録し、記録された磁気テープから磁気ヘッドを介して信号を再生し、該再生信号に所定の再生処理を施して出力する画像信号記録再生装置において、
前記半速モードまたは１／３速モードで記録された磁気テープを、記録時の走行速度と異なる走行速度で再生する変速再生を行うときは、前記第１及び第２の磁気ヘッドを使用することを特徴とする画像信号記録再生装置。
【請求項４】
前記変速再生の倍速数ｎを、ｎ＝Ｎ（２ｍ＋１）／（２ｉ−１）±２／（２ｉ−１）（ｉは１から１０までの整数、ｍは負の数を含む整数）を用いて得られる値の近傍の値に設定することを特徴とする請求項３に記載の画像信号記録再生装置。
【請求項５】
回転ドラム上に１８０度の角度間隔で配置され、ギャップのアジマスが互いに異なる第１及び第２の磁気ヘッドと、前記第２の磁気ヘッドと同一アジマスのギャップを有し、前記第１の磁気ヘッドに対して所定の相対位置関係となるように前記回転ドラム上に配置された第３の磁気ヘッドとを備え、
磁気テープの走行速度を基準速度ＶＲＥＦとし、前記第１及び第２の磁気ヘッドを用いて１フレームの画像信号をＮ個の傾斜トラックに分割して記録する基準モード、
磁気テープの走行速度を基準速度ＶＲＥＦの１／２とし、前記第１及び第３の磁気ヘッドを用いて１フレームの画像信号をＮ／２個の傾斜トラックに分割して記録する半速モード、及び
磁気テープの走行速度を基準速度ＶＲＥＦの１／３とし、前記第１及び第３の磁気ヘッドを用いて１フレームの画像信号をＮ／２個の傾斜トラックに分割して記録する１／３速モード
のうち、前記半速モード及び１／３速モードの少なくとも一方で画像信号を磁気テープに記録し、記録された磁気テープから磁気ヘッドを介して信号を再生し、該再生信号に所定の再生処理を施して出力する画像信号記録再生装置において、
前記半速モードまたは１／３速モードで記録された磁気テープを、記録時の走行速度のｎ（≠１）倍の走行速度で再生する変速再生を行うときは、倍速数ｎを、ｎ＝Ｎｍ／ｉ±１／ｉ（ｉは１から１０までの整数、ｍは負の数を含む整数）を用いて得られる値の近傍の値に設定し、前記第１、第２及び第３の磁気ヘッドのうちのいずれか１つまたは２つを使用することを特徴とする画像信号記録再生装置。
【請求項６】
磁気テープの走行速度を基準速度ＶＲＥＦとし、１フレームの画像信号をＮ個の傾斜トラックに分割して記録する基準モード、
磁気テープの走行速度を基準速度ＶＲＥＦの１／２とし、１フレームの画像信号をＮ／２個の傾斜トラックに分割して記録する半速モード、及び
磁気テープの走行速度を基準速度ＶＲＥＦの１／３とし、１フレームの画像信号をＮ／２個の傾斜トラックに分割して記録する１／３速モード
のうち、前記半速モード及び１／３速モードの少なくとも一方で画像信号を磁気テープに記録する画像信号記録装置により記録された磁気テープから磁気ヘッドを介して信号を再生し、該再生信号に所定の再生処理を施して出力する画像信号再生装置において、
前記半速モードまたは１／３速モードで記録された磁気テープを、記録時の走行速度のｎ（≠１）倍の走行速度で再生する変速再生を行うときは、倍速数ｎを、下記式（１）及び（２）の少なくとも一方を用いて得られる値の近傍の値に設定することを特徴とする画像信号再生装置：
（１）ｎ＝Ｎ（２ｍ＋１）／（２ｉ−１）±２／（２ｉ−１）
（２）ｎ＝Ｎｍ／ｉ±１／ｉ
（ｉは１から１０までの整数、ｍは負の数を含む整数）。
【請求項７】
倍速数ｎの絶対値が（Ｎ−２）以上のときは、変数ｉを１に設定し、倍速数ｎの絶対値が（Ｎ−２）より小さいときは、変数ｉを２以上の値に設定することを特徴とする請求項６に記載の画像信号再生装置。
【請求項８】
磁気テープの走行速度を基準速度ＶＲＥＦとし、１フレームの画像信号をＮ個の傾斜トラックに分割して記録する基準モード、
磁気テープの走行速度を基準速度ＶＲＥＦの１／２とし、１フレームの画像信号をＮ／２個の傾斜トラックに分割して記録する半速モード、及び
磁気テープの走行速度を基準速度ＶＲＥＦの１／３とし、１フレームの画像信号をＮ／２個の傾斜トラックに分割して記録する１／３速モード
のうち、前記半速モード及び１／３速モードの少なくとも一方で画像信号を磁気テープに記録する画像信号記録装置により記録された磁気テープから磁気ヘッドを介して信号を再生し、該再生信号に所定の再生処理を施して出力する画像信号再生装置において、
回転ドラム上に１８０度の角度間隔で配置され、ギャップのアジマスが互いに異なる第１及び第２の磁気ヘッドと、前記第２の磁気ヘッドと同一アジマスのギャップを有し、前記第１の磁気ヘッドに対して所定の相対位置関係となるように前記回転ドラム上に配置された第３の磁気ヘッドとを備え、
前記半速モードまたは１／３速モードで記録された磁気テープを、記録時の走行速度と異なる走行速度で再生する変速再生を行うときは、前記第１及び第２の磁気ヘッドを使用することを特徴とする画像信号再生装置。
【請求項９】
前記変速再生の倍速数ｎを、ｎ＝Ｎ（２ｍ＋１）／（２ｉ−１）±２／（２ｉ−１）（ｉは１から１０までの整数、ｍは負の数を含む整数）を用いて得られる値の近傍の値に設定することを特徴とする請求項８に記載の画像信号再生装置。
【請求項１０】
磁気テープの走行速度を基準速度ＶＲＥＦとし、１フレームの画像信号をＮ個の傾斜トラックに分割して記録する基準モード、
磁気テープの走行速度を基準速度ＶＲＥＦの１／２とし、１フレームの画像信号をＮ／２個の傾斜トラックに分割して記録する半速モード、及び
磁気テープの走行速度を基準速度ＶＲＥＦの１／３とし、１フレームの画像信号をＮ／２個の傾斜トラックに分割して記録する１／３速モード
のうち、前記半速モード及び１／３速モードの少なくとも一方で画像信号を磁気テープに記録する画像信号記録装置により記録された磁気テープから磁気ヘッドを介して信号を再生し、該再生信号に所定の再生処理を施して出力する画像信号再生装置において、
回転ドラム上に１８０度の角度間隔で配置され、ギャップのアジマスが互いに異なる第１及び第２の磁気ヘッドと、前記第２の磁気ヘッドと同一アジマスのギャップを有し、前記第１の磁気ヘッドに対して所定の相対位置関係となるように前記回転ドラム上に配置された第３の磁気ヘッドとを備え、
前記半速モードまたは１／３速モードで記録された磁気テープを、記録時の走行速度のｎ（≠１）倍の走行速度で再生する変速再生を行うときは、倍速数ｎを、ｎ＝Ｎｍ／ｉ±１／ｉ（ｉは１から１０までの整数、ｍは負の数を含む整数）を用いて得られる値の近傍の値に設定し、前記第１、第２及び第３の磁気ヘッドのうちのいずれか１つまたは２つを使用することを特徴とする画像信号再生装置。
【発明の詳細な説明】
【０００１】
【発明の属する技術分野】
本発明は、画像信号を磁気テープに記録し、該記録した画像信号を再生する画像信号記録再生装置及び再生機能のみ有する画像信号再生装置に関し、特に記録時と異なる磁気テープ走行速度で再生する変速再生を行うものに関する。
【０００２】
【従来の技術】
ＤＶ（またはＤＶＣ）と呼ばれる規格に準拠したディジタルＶＴＲ（ビデオテープレコーダ）は、既に市場に流通しており、このＤＶ規格では、磁気テープの走行速度（以下単に「テープ速度」という）を標準速度ＶＳＰ（１８．８ｍｍ／秒））とし、約２５Ｍｂｐｓ（メガビット／秒）のデータレートで画像信号を記録し、再生する標準モード（以下「ＳＰモード」という）のほかに、テープ速度を標準速度ＶＳＰの１／２とするとともに、データレートも約１／２として、ＳＰモードと同一幅のトラックに画像信号を記録し、再生するモード（以下「ＥＰモード」という）が設けられている。
【０００３】
ＮＴＳＣ（５２５／６０）方式の場合ＳＰモードでは、１フレームの画像信号が１０個のトラックに分割して記録され、ＥＰモードでは５個のトラックに分割して記録される。
ＳＰモードで記録再生可能なＶＴＲにおいて、記録時と異なるテープ速度で再生する変速再生を行う場合、テープ速度を記録時のテープ速度の整数倍に設定すると、１０個のトラックに分割して記録された１フレームの画像信号の一部しか再生されず、好ましい再生画像が得られないため、変速再生の倍率は、例えば９．５倍などに設定されている。
【０００４】
【発明が解決しようとする課題】
しかしながら、ＥＰモードでの記録再生が可能なＶＴＲにおいて、変速再生時のテープ速度をどのように設定すれば好ましい再生画像が得られるかは、未だ検討されていない。
【０００５】
また、ＳＰモードでは、回転ドラム上に１８０度の角度間隔を隔てて配置され、互いにギャップのアジマスが異なる２個の磁気ヘッド（以下それぞれ「チャネルＡヘッド」及び「チャネルＢヘッド」という）を使用して記録を行うが、ＥＰモードでは、ＳＰモード用のヘッド組を使用したのでは、規格に適合した記録パターンを実現することができない。そのため、例えばチャネルＢヘッドと同一アジマスの磁気ヘッド（以下「チャネルＢ’ヘッド」という）をチャネルＢヘッドと異なる位置に配置し、チャネルＡヘッド及びチャネルＢ’ヘッドを使用して記録が行われる。ところが、ＥＰモードでの変速再生時に、これらの磁気ヘッドのいずれを使用すると、好ましい再生画像が得られるかについては、未だ検討されていない。
【０００６】
本発明は上述した点に鑑みなされたものであり、基準となる記録再生モードに対してテープ速度及び記録データレートを１／２として記録再生する半速モードにおける変速再生のテープ速度を適切に設定し、好ましい再生画像が得られるようにした画像信号記録再生装置及び画像信号再生装置を提供することを第１の目的とする。
【０００７】
さらに、本発明は半速モードの変速再生時に複数の磁気ヘッドを適切に使用し、好ましい再生画像が得られるようにした画像信号記録再生装置及び画像信号再生装置を提供することを第２の目的とする。
【０００８】
【課題を解決するための手段】
上記目的を達成するため請求項１に記載の発明は、磁気テープの走行速度を基準速度ＶＲＥＦとし、１フレームの画像信号をＮ個（Ｎは２以上の整数）の傾斜トラックに分割して記録する基準モード、磁気テープの走行速度を基準速度ＶＲＥＦの１／２とし、１フレームの画像信号をＮ／２個の傾斜トラックに分割して記録する半速モード、及び磁気テープの走行速度を基準速度ＶＲＥＦの１／３とし、１フレームの画像信号をＮ／２個の傾斜トラックに分割して記録する１／３速モードのうち、前記半速モード及び１／３速モードの少なくとも一方で画像信号を磁気テープに記録し、記録された磁気テープから磁気ヘッドを介して信号を再生し、該再生信号に所定の再生処理を施して出力する画像信号記録再生装置において、前記半速モードまたは１／３速モードで記録された磁気テープを、記録時の走行速度のｎ（≠１）倍の走行速度で再生する変速再生を行うときは、倍速数ｎを、下記式（１）及び（２）の少なくとも一方を用いて得られる値の近傍の値に設定することを特徴とする：
（１）ｎ＝Ｎ（２ｍ＋１）／（２ｉ−１）±２／（２ｉ−１）
（２）ｎ＝Ｎｍ／ｉ±１／ｉ
（ｉは１から１０までの整数、ｍは負の数を含む整数）。
【０００９】
請求項２に記載の発明は、請求項１に記載の画像信号記録再生装置において、倍速数ｎの絶対値が（Ｎ−２）以上のときは、変数ｉを１に設定し、倍速数ｎの絶対値が（Ｎ−２）より小さいときは、変数ｉを２以上の値に設定することを特徴とする。
【００１０】
請求項３に記載の発明は、回転ドラム上に１８０度の角度間隔で配置され、ギャップのアジマスが互いに異なる第１及び第２の磁気ヘッドと、前記第２の磁気ヘッドと同一アジマスのギャップを有し、前記第１の磁気ヘッドに対して所定の相対位置関係となるように前記回転ドラム上に配置された第３の磁気ヘッドとを備え、磁気テープの走行速度を基準速度ＶＲＥＦとし、前記第１及び第２の磁気ヘッドを用いて１フレームの画像信号をＮ個の傾斜トラックに分割して記録する基準モード、磁気テープの走行速度を基準速度ＶＲＥＦの１／２とし、前記第１及び第３の磁気ヘッドを用いて１フレームの画像信号をＮ／２個の傾斜トラックに分割して記録する半速モード、及び磁気テープの走行速度を基準速度ＶＲＥＦの１／３とし、前記第１及び第３の磁気ヘッドを用いて１フレームの画像信号をＮ／２個の傾斜トラックに分割して記録する１／３速モードのうち、前記半速モード及び１／３速モードの少なくとも一方で画像信号を磁気テープに記録し、記録された磁気テープから磁気ヘッドを介して信号を再生し、該再生信号に所定の再生処理を施して出力する画像信号記録再生装置において、前記半速モードまたは１／３速モードで記録された磁気テープを、記録時の走行速度と異なる走行速度で再生する変速再生を行うときは、前記第１及び第２の磁気ヘッドを使用することを特徴とする。
【００１１】
請求項４に記載の発明は、請求項に記載の画像信号記録再生装置において、前記変速再生の倍速数ｎを、ｎ＝Ｎ（２ｍ＋１）／（２ｉ−１）±２／（２ｉ−１）（ｉは１から１０までの整数、ｍは負の数を含む整数）を用いて得られる値の近傍の値に設定することを特徴とする。
【００１２】
請求項５に記載の発明は、回転ドラム上に１８０度の角度間隔で配置され、ギャップのアジマスが互いに異なる第１及び第２の磁気ヘッドと、前記第２の磁気ヘッドと同一アジマスのギャップを有し、前記第１の磁気ヘッドに対して所定の相対位置関係となるように前記回転ドラム上に配置された第３の磁気ヘッドとを備え、磁気テープの走行速度を基準速度ＶＲＥＦとし、前記第１及び第２の磁気ヘッドを用いて１フレームの画像信号をＮ個の傾斜トラックに分割して記録する基準モード、磁気テープの走行速度を基準速度ＶＲＥＦの１／２とし、前記第１及び第３の磁気ヘッドを用いて１フレームの画像信号をＮ／２個の傾斜トラックに分割して記録する半速モード、及び磁気テープの走行速度を基準速度ＶＲＥＦの１／３とし、前記第１及び第３の磁気ヘッドを用いて１フレームの画像信号をＮ／２個の傾斜トラックに分割して記録する１／３速モードのうち、前記半速モード及び１／３速モードの少なくとも一方で画像信号を磁気テープに記録し、記録された磁気テープから磁気ヘッドを介して信号を再生し、該再生信号に所定の再生処理を施して出力する画像信号記録再生装置において、前記半速モードまたは１／３速モードで記録された磁気テープを、記録時の走行速度のｎ（≠１）倍の走行速度で再生する変速再生を行うときは、倍速数ｎを、ｎ＝Ｎｍ／ｉ±１／ｉ（ｉは１から１０までの整数、ｍは負の数を含む整数）を用いて得られる値の近傍の値に設定し、前記第１、第２及び第３の磁気ヘッドのうちのいずれか１つまたは２つを使用することを特徴とする。
【００１３】
請求項６に記載の発明は、磁気テープの走行速度を基準速度ＶＲＥＦとし、１フレームの画像信号をＮ個の傾斜トラックに分割して記録する基準モード、磁気テープの走行速度を基準速度ＶＲＥＦの１／２とし、１フレームの画像信号をＮ／２個の傾斜トラックに分割して記録する半速モード、及び磁気テープの走行速度を基準速度ＶＲＥＦの１／３とし、１フレームの画像信号をＮ／２個の傾斜トラックに分割して記録する１／３速モードのうち、前記半速モード及び１／３速モードの少なくとも一方で画像信号を磁気テープに記録する画像信号記録装置により記録された磁気テープから磁気ヘッドを介して信号を再生し、該再生信号に所定の再生処理を施して出力する画像信号再生装置において、前記半速モードまたは１／３速モードで記録された磁気テープを、記録時の走行速度のｎ（≠１）倍の走行速度で再生する変速再生を行うときは、倍速数ｎを、下記式（１）及び（２）の少なくとも一方を用いて得られる値の近傍の値に設定することを特徴とする：
（１）ｎ＝Ｎ（２ｍ＋１）／（２ｉ−１）±２／（２ｉ−１）
（２）ｎ＝Ｎｍ／ｉ±１／ｉ
（ｉは１から１０までの整数、ｍは負の数を含む整数）。
【００１４】
請求項７に記載の発明は、請求項６に記載の画像信号再生装置において、倍速数ｎの絶対値が（Ｎ−２）以上のときは、変数ｉを１に設定し、倍速数ｎの絶対値が（Ｎ−２）より小さいときは、変数ｉを２以上の値に設定することを特徴とする。
【００１５】
請求項８に記載の発明は、磁気テープの走行速度を基準速度ＶＲＥＦとし、１フレームの画像信号をＮ個の傾斜トラックに分割して記録する基準モード、磁気テープの走行速度を基準速度ＶＲＥＦの１／２とし、１フレームの画像信号をＮ／２個の傾斜トラックに分割して記録する半速モード、及び磁気テープの走行速度を基準速度ＶＲＥＦの１／３とし、１フレームの画像信号をＮ／２個の傾斜トラックに分割して記録する１／３速モードのうち、前記半速モード及び１／３速モードの少なくとも一方で画像信号を磁気テープに記録する画像信号記録装置により記録された磁気テープから磁気ヘッドを介して信号を再生し、該再生信号に所定の再生処理を施して出力する画像信号再生装置において、回転ドラム上に１８０度の角度間隔で配置され、ギャップのアジマスが互いに異なる第１及び第２の磁気ヘッドと、前記第２の磁気ヘッドと同一アジマスのギャップを有し、前記第１の磁気ヘッドに対して所定の相対位置関係となるように前記回転ドラム上に配置された第３の磁気ヘッドとを備え、前記半速モードまたは１／３速モードで記録された磁気テープを、記録時の走行速度と異なる走行速度で再生する変速再生を行うときは、前記第１及び第２の磁気ヘッドを使用することを特徴とする。
【００１６】
請求項９に記載の発明は、請求項８に記載の画像信号再生装置において、前記変速再生の倍速数ｎを、ｎ＝Ｎ（２ｍ＋１）／（２ｉ−１）±２／（２ｉ−１）（ｉは１から１０までの整数、ｍは負の数を含む整数）を用いて得られる値の近傍の値に設定することを特徴とする。
【００１７】
請求項１０に記載の発明は、磁気テープの走行速度を基準速度ＶＲＥＦとし、１フレームの画像信号をＮ個の傾斜トラックに分割して記録する基準モード、磁気テープの走行速度を基準速度ＶＲＥＦの１／２とし、１フレームの画像信号をＮ／２個の傾斜トラックに分割して記録する半速モード、及び磁気テープの走行速度を基準速度ＶＲＥＦの１／３とし、１フレームの画像信号をＮ／２個の傾斜トラックに分割して記録する１／３速モードのうち、前記半速モード及び１／３速モードの少なくとも一方で画像信号を磁気テープに記録する画像信号記録装置により記録された磁気テープから磁気ヘッドを介して信号を再生し、該再生信号に所定の再生処理を施して出力する画像信号再生装置において、回転ドラム上に１８０度の角度間隔で配置され、ギャップのアジマスが互いに異なる第１及び第２の磁気ヘッドと、前記第２の磁気ヘッドと同一アジマスのギャップを有し、前記第１の磁気ヘッドに対して所定の相対位置関係となるように前記回転ドラム上に配置された第３の磁気ヘッドとを備え、前記半速モードまたは１／３速モードで記録された磁気テープを、記録時の走行速度のｎ（≠１）倍の走行速度で再生する変速再生を行うときは、倍速数ｎを、ｎ＝Ｎｍ／ｉ±１／ｉ（ｉは１から１０までの整数、ｍは負の数を含む整数）を用いて得られる値の近傍の値に設定し、前記第１、第２及び第３の磁気ヘッドのうちのいずれか１つまたは２つを使用することを特徴とする。
【００１８】
【発明の実施の形態】
以下本発明の実施の形態を図面を参照して説明する。
図１及び２は、それぞれ本発明の一実施形態にかかるＶＴＲの記録系及び再生系の構成を示すブロック図であり、このＶＴＲは、ＤＶ規格に準拠し、ＳＰモード及びＥＰモードによる記録再生を行うことができるものである。
【００１９】
本実施形態のＶＴＲは、入力されるアナログ画像信号に対して輝度信号と色信号の分離、Ａ／Ｄ変換、ディジタル画像信号のブロック化、ＤＣＴ（離散コサイン変換）、量子化、誤り訂正符号化、シンクブロックの合成、記録変調などの所定の記録処理を行う記録処理部８と、記録処理部８の出力信号を増幅する記録アンプ４，５，６と、記録アンプ４，５，６の出力信号を磁気テープ５０に記録するとともに、磁気テープ５０から信号を再生するための磁気ヘッド１，２，３と、操作パネルの操作状態等に応じて当該ＶＴＲの全体的な制御を行うシステム制御部９と、磁気テープ５０を駆動するためのキャプスタンモータ１１と、磁気ヘッド１，２，３が搭載された回転ドラム４０を回転駆動するためのドラムモータ１２と、これらのモータの回転動作を制御するサーボ部１０とを備えている。システム制御部９は、使用者が設定する記録モード、すなわちＳＰモードであるかＥＰモードであるかを示すモード信号ＭＳＷを、記録処理部８及びサーボ部１０に供給する。
【００２０】
磁気ヘッド１，２，３は、図３に示すように回転ドラム４０上に配置されている。磁気ヘッド１及び２は互いに異なるアジマスのギャップを有し、１８０度の角度間隔を隔てて配置されている。磁気ヘッド３は、磁気ヘッド２と同一アジマスのギャップを有し、磁気ヘッド１と角度間隔θを隔てて、かつ同図（ｂ）に示すように磁気ヘッド１に対して相対高さＨだけ高い位置に配置されている。本実施形態では、各磁気ヘッドの幅ＷＨは、ＳＰモードにおける磁気テープ５０上のトラック幅ＷＴとほぼ同一とし、角度間隔θは９０度としている。相対高さＨは、Ｈ＝ＷＴ×θ／３６０で与えられるので、Ｈ＝ＷＴ／４に設定している。
【００２１】
ＳＰモードにおいてはテープ速度を標準速度ＶＳＰとし、磁気ヘッド１及び２を使用して、図５（ａ）に示すような磁気テープ上のトラックパターンが得られるように制御される。すなわち、ＳＰモードでは、図４に示すように１フレームの画像を１０個の画面領域Ｓ０〜Ｓ９に分割し、画面領域Ｓ０〜Ｓ９に対応する画像信号が、それぞれトラック番号Ｔ０からＴ９のトラックに記録される。
【００２２】
ＥＰモードにおいてテープ速度を標準速度ＶＳＰの１／２の速度ＶＥＰとし、磁気ヘッド１及び３を使用して、図５（ｂ）に示すような磁気テープ上のトラックパターンが得られるように制御される。すなわち、ＥＰモードでは、図４の１０個の画面領域Ｓ０〜Ｓ９を２個ずつ結合した画面領域ＳＥ０〜ＳＥ４に対応する画像信号が、それぞれトラック番号Ｔ０からＴ４のトラックに記録され、同様にトラック番号Ｔ５からＴ９のトラックに記録される。したがって、トラック番号Ｔ０及びＴ５には同じ画面領域ＳＥ０に対応する画像信号が記録され、トラック番号Ｔ１及びＴ６には同じ画面領域ＳＥ１に対応する画像信号が記録され、トラック番号Ｔ２及びＴ７には同じ画面領域ＳＥ２に対応する画像信号が記録され、トラック番号Ｔ３及びＴ８には同じ画面領域ＳＥ３に対応する画像信号が記録され、トラック番号Ｔ４及びＴ９には同じ画面領域ＳＥ４に対応する画像信号が記録される。すなわち、ＥＰモードの場合、１フレームの画像信号が５個のトラックに分割して記録されるので、本来はトラック番号はＴ０からＴ４までで足りるが、ＳＰモードと対応させて説明するために、ＳＰモードのトラック番号をそのまま用いており、画面領域ＳＥ０〜ＳＥ４とトラック番号との関係は上述したようになる。
【００２３】
図６は、各磁気ヘッド１，２，３が磁気テープ５０を走査する期間ＴＳを示すタイムチャートであり、ＳＰモードでは、同図（ａ）（ｂ）に示すように磁気ヘッド１及び２による走査期間ＴＳＨ１及びＴＳＨ２が交互に繰り返されるが、ＥＰモードでは磁気ヘッド３の走査期間ＴＨ３は、同図（ｃ）に示すようになる。
【００２４】
次に図２を参照して当該ＶＴＲの再生系について説明する。
再生系には、磁気ヘッド１，２，３の出力を増幅する再生アンプ２１，２２，２３と、各再生アンプ２１，２２，２３の出力を切り換える再生切換回路２８と、再生信号の復調、誤り訂正、逆量子化、逆ＤＣＴ、Ｄ／Ａ変換等の所定の再生処理を行いアナログ画像信号を出力する再生処理部２９と、システム制御部９からの制御信号に応じて再生切換回路２８の制御を行う切換制御部２７とを備えている。
【００２５】
切換制御部２７は、図６に示す各ヘッドの走査期間に対応する切換制御を行う。すなわち、磁気ヘッド１及び２を使用して再生を行うときは、いずれか一方の磁気ヘッドの出力を選択して再生処理部２９に入力し、磁気ヘッド１及び３を使用して再生を行うときは、両ヘッドの走査期間ＴＳＨ１，ＴＳＨ３は、重複する期間があるので、両ヘッドの出力をともに再生処理部２９に入力する。変速再生時は、磁気ヘッドの走査軌跡は、記録時と異なるものとなるため、ＳＰモードで１０トラック、ＥＰモードで５トラックに相当する期間再生を行っても、１フレームのすべての画像信号が得られないため、再生処理部２９はフレームメモリを用い、再生により得られた情報でフレームメモリの対応する領域を順次書き換える処理を行う。そして、フレームメモリに格納された情報を、一定の順序で読み出すことにより再生画像信号が出力される。そのとき、再生処理部２９の誤り訂正復号化回路で検出されるエラーレートが所定以上に増加したときには、フレームメモリの対応する領域の書き換え（更新）は行わないように制御される。
【００２６】
次に変速再生時の倍速数ｎをどのように設定すれば、好ましい再生画像が得られるかを検討する。なお、以下の検討では、特に断らない限りヘッド再生信号のレベルが最大値の５０％以上であれば正しい（エラーを実質的に無視しうる）再生信号が得られるものとする。
【００２７】
［ＳＰモードの場合］
図５（ａ）において、矢線（矢印を付した線）ＨＳＰ１、ＨＳＰ３及びＨＳＰ０は、それぞれ通常再生時、３倍速再生時、及びスチル（テープ停止）再生時のヘッド軌跡を示したものであり、変速再生時は、トラックを跨いで走査が行われる。その場合、隣り合うトラックは異なるギャップアジマスの磁気ヘッドで記録されているため、再生信号のエンベロープ波形は、そろばん玉状の波形（以下「そろばん玉波形」という）となる。
【００２８】
図７は、ヘッド軌跡とトラックとの関係を示すための仮想的な図であり、１つのます目が１トラックに対応し、ます目の中に記入した数字はトラック番号を示す。通常再生時には、図の垂直方向（矢線ＨＳＰ１の方向）に磁気ヘッド１，２による走査が行われ、期間ＴＳ０，ＴＳ２，…では、磁気ヘッド１による再生が行われ、期間ＴＳ１，ＴＳ３，…では磁気ヘッド２による再生が行われ、トラックＴ０，Ｔ１，Ｔ２，Ｔ３，…というように順次再生が行われる。この図においてＨＳＰ３及びＨＳＰ０はそれぞれ３倍速再生時及びスチル再生時のヘッド軌跡を示しており、ハッチングを付した領域が各ヘッドにより実際に再生される領域である。このハッチングを付した領域の形状は、再生信号のエンペロープ波形にほぼ対応する。以下、再生信号のエンベロープ波形を単に「再生波形」という。
【００２９】
軌跡ＨＳＰ３に対応する３倍速再生時の再生波形を示すと図８（ａ）に示すようになる。この図においてそろばん玉波形に書き込まれた数字は、トラック番号である。また同図（ｂ）は、ｎ＝５の場合の再生波形であり、これらから明らかなように、倍速数ｎを整数とすると、再生信号が得られる領域と、得られない領域が固定されるため、例えばｎ＝３の場合には、画面の水平方向中央付近の領域の情報が得られない。これに対し倍速数ｎを整数とせずに例えば、ｎ＝４．５や５．５とした場合は、同図（ｃ）（ｄ）に示すようになり、そろばん玉波形の位相が時間経過とともにずれていくので、フレームメモリに格納されるすべての領域の情報を順次書き換えていくことができる。このような位相ずれは、ｎを整数でない値とすれば必ず起きるが、最も効率よくメモリ内の情報を書き換えることができる場合は、例えば図９（時間的に連続する波形を、波形の左端を偶数番目の走査期間ＴＳ０，ＴＳ２，ＴＳ４，…の開始時点ｔ０、ｔ２、ｔ４、…とし、波形の中央（磁気ヘッド２による走査の開始時点）を奇数番目の走査期間ＴＳ１，ＴＳ３，ＴＳ５，…の開始時点ｔ１，ｔ３，ｔ５，…として、上から下に順次示したもの、以下同様の図１０、１３等において同じ）に示すように位相がずれていく場合である。すなわち、同じトラック番号のそろばん玉波形が半周期（そろばん玉１個分を１周期とする）ずつずれて順次再生される場合であり、ｎ＝４．５はその条件を満たすことがわかる。図から明らかなように、そろばん玉波形とトラック番号との関係は、時刻ｔ２０で元に戻るので、画面の更新周期は２０走査期間である。
【００３０】
ｎ＝４．５の場合は、同じトラック番号のそろばん玉波形が左から右へずれていく場合であるが、図１０に示すようにｎ＝５．５とすると逆に右から左へずれていく。この場合も、時刻ｔ２０で元の状態にもどるので、画面が２０走査期間周期で更新される。
【００３１】
図１１は、画面が更新される様子を説明するための図であり、同図（ａ）がｎ＝４．５の場合を示し、同図（ｂ）がｎ＝５．５の場合を示す。図中のます目が画面上の領域を示し、各ます目に記入した数字が更新される走査期間の番号（０を基準として順次増加する）を示す。
【００３２】
ｎ＝４．５の場合、例えば、画面領域Ｓ０及びＳ１が更新される様子を図９も参照して説明する。図９において、ハッチングを付した部分は、画面領域Ｓ０及びＳ１に対応するトラック番号Ｔ０とＴ１のトラックで、５０％以上の再生信号レベルが得られ、画面の更新に用いられる部分である。走査期間ＴＳ０では、領域（Ｘ０，Ｓ０）が更新され、走査期間ＴＳ２では、領域（Ｘ１，Ｓ０）及び（Ｘ２，Ｓ０）が更新され、走査期間ＴＳ４では、領域（Ｘ３，Ｓ０）及び（Ｘ４，Ｓ０）が更新され、走査期間ＴＳ６では、領域（Ｘ５，Ｓ０）及び（Ｘ６，Ｓ０）が更新され、図１１（ａ）に矢線で示す順に画面領域Ｓ０が更新される。また走査期間ＴＳ９では、領域（Ｘ０，Ｓ１）及び（Ｘ１，Ｓ１）が更新され、走査期間ＴＳ１１では、領域（Ｘ２，Ｓ１）及び（Ｘ３，Ｓ１）が更新され、走査期間ＴＳ１３では、領域（Ｘ４，Ｓ１）及び（Ｘ５，Ｓ１）が更新され、走査期間ＴＳ１５では、領域（Ｘ６，Ｓ１）が更新され、図１１（ａ）に矢線で示す順に画面領域Ｓ１が更新される。他の画面領域Ｓ２〜Ｓ９も同様に更新され、走査期間ＴＳ１９ですべての領域の更新が終了する。また、画面はおおむね左から右に向かって順次更新されていくので、見やすい変速再生画像を得ることができる。
【００３３】
次にｎ＝５．５の場合についても同様に図１０も参照して説明する。図１０において、ハッチングを付した部分は、画面領域Ｓ２及びＳ３に対応するトラック番号Ｔ２とＴ３のトラックで、５０％以上の再生信号レベルが得られ、画面の更新に用いられる部分である。走査期間ＴＳ０では、領域（Ｘ５，Ｓ２）及び（Ｘ６，Ｓ２）が更新され、走査期間ＴＳ２では、領域（Ｘ３，Ｓ２）及び（Ｘ４，Ｓ２）が更新され、走査期間ＴＳ４では、領域（Ｘ１，Ｓ２）及び（Ｘ２，Ｓ２）が更新され、走査期間ＴＳ６では、領域（Ｘ０，Ｓ２）が更新され、図１１（ｂ）に矢線で示す順に画面領域Ｓ２が更新される。また走査期間ＴＳ９では、領域（Ｘ８，Ｓ３）が更新され、走査期間ＴＳ１１では、領域（Ｘ６，Ｓ３）及び（Ｘ７，Ｓ３）が更新され、走査期間ＴＳ１３では、領域（Ｘ４，Ｓ３）及び（Ｘ５，Ｓ３）が更新され、走査期間ＴＳ１５では、領域（Ｘ２，Ｓ３）及び（Ｘ３，Ｓ３）が更新され、走査期間ＴＳ１７では、領域（Ｘ０，Ｓ３）及び（Ｘ１，Ｓ３）が更新され、図１１（ｂ）に矢線で示す順に画面領域Ｓ３が更新される。他の画面領域Ｓ０，Ｓ１，Ｓ４〜Ｓ９も同様に更新され、走査期間ＴＳ１９ですべての領域の更新が終了する。また、画面はおおむね右から左に向かって順次更新されていくので、見やすい変速再生画像を得ることができる。
【００３４】
次にｎ＝４．５や５．５と同様の関係が得られる場合を図１２を参照して説明する。磁気ヘッド１の中心位置が時刻ｔ０において点Ｐ０にあるとすると、スチル時の軌跡（ヘッド中心の軌跡）はＨＳＰ０となり、磁気ヘッド１による次の走査期間の開始時点（時刻ｔ２）におけるｎ倍速再生時の位置Ｐｎと（図はｎ＝５の場合に相当する）、スチル時の位置Ｐ０２との距離は、トラック数で２ｎとなる。ｎ倍速再生時は、１走査期間でスチル時の位置からｎトラックずれるからである。なお、軌跡ＨＳＰ（−ｎ）は、磁気テープを記録時と逆の方向に走行させる逆方向再生の場合に相当するが順方向再生と同一である。
【００３５】
したがって、２走査期間後のヘッド位置が、同じトラック番号のトラックの同じ位置にある条件は、
２ｎ＝１０ｍ  （ｍ：負の数を含む整数）
であり、この条件は、そろばん玉波形の位相が一致する条件であるため、半周期分ずらすためには、
２ｎ＝１０ｍ±１
とすればよい。よって、
ｎ＝１０ｍ／２±１／２    （１）
という条件が得られる。図１２において破線で示す軌跡はこの条件を満たす場合を示している。すなわち、上記式（１）でｍ＝±１とすれば、ｎ＝±４．５，±５．５となり、同図に破線で示す軌跡はこれらに対応する。
【００３６】
倍速数ｎとしては、必要とする画像を素早くサーチするために１０から２０倍程度以上の値が必要であるが、そのような場合には、例えばｍ＝±２とすることにより、ｎ＝±９．５，±１０．５が得られ、ｍ＝±４とすることより、ｎ＝±１９．５，±２０．５が得られる。
【００３７】
また内容をある程度把握しつつみるためには、ｎ＝１．５〜３、−１〜−３程度の設定も必要であるが、上記式（１）では、ｍをどのように設定してもこのような倍速数ｎを得ることはできない。そこで式（１）をより一般化することを考える。式（１）は、２走査期間経過後において同じトラック番号のそろばん玉波形が半周期ずれるための条件であるが、より一般化して２より大きい偶数走査期間（４，６，８，…）経過後において、同様の条件満たすためには、
２ｉ×ｎ＝１０ｍ±１  （ｉ＝１，２，３，…）
とすればよい。これより下記式（２）が得られる。
ｎ＝１０ｍ／２ｉ±１／２ｉ  （２）
式（１）は、式（２）においてｉ＝１としたものに相当する。変数ｉを大きくすることは、そろばん玉波形について所望の位相関係が得られるまでの時間が長くなることを意味し、従って画面の更新が遅れることを意味する。
【００３８】
例えばｉ＝２，ｍ＝２とすると、ｎ＝４．７５，５．２５が得られる。図１３は、ｎ＝４．７５の場合のそろばん玉波形を示しており、この図とｎ＝４．５を示した図９とを対比すれば明らかなように、図１３の場合は、２走査期間でそろばん玉波形が１／４周期ずつずれていくので、５０％以上のレベルが得られる期間が重複し、ｎ＝４．５の場合に比べて画面の更新に倍の時間を要することなる。変数ｉを大きくするほどこの傾向は顕著になるので、変数ｉはできるだけ小さい値に設定することが望ましい。
【００３９】
そこで、式（２）においてｉ＝２とすると
ｎ＝１０ｍ／４±１／４  （３）
が得られ、式（３）でｍ＝±１とすると、ｎ＝±２．２５，±２．７５が得られる。
次に式（２）においてｉ＝３とすると、
ｎ＝１０ｍ／６±１／６  （４）
が得られ、式（４）でｍ＝±１とすると、ｎ＝±１．５，±１．８３（＝１１／６）が得られる。
【００４０】
次に式（２）においてｉ＝４とすると、
ｎ＝１０ｍ／８±１／８  （５）
が得られ、式（５）でｍ＝±１とすると、ｎ＝±１．１２５，±１．３７５が得られる。
【００４１】
したがって、ｉ＝４までの設定で、通常必要される変速再生速度は得ることができる。ただし、ｉ＝２〜４の設定では、倍速数ｎの小数点以下の端数が多くなるので、式（２）においてｉ＝５とすることにより得られる下記式（６）を用いて、ｎ＝４．５（ｉ＝１の場合の最小倍速数）より小さい倍速数の設定に使用してもよい。
ｎ＝１０ｍ／１０±１／１０＝ｍ±０．１  （６）
ＳＰモードで変数ｉを６以上とするのは、画面の更新周期が長くなり過ぎるので好ましい設定ではない。
【００４２】
［ＥＰモードの場合］
ＥＰモードの場合、ＳＰモードと比較すると、１）トラック幅が同じで、テープ速度が１／２であること、及び２）トラック番号Ｔ０とＴ５、Ｔ１とＴ６、Ｔ３とＴ７、Ｔ４とＴ８、Ｔ５とＴ９にはそれぞれ同一の画面領域の情報が記録される点が異なる（図４参照）。また、ＥＰモードの場合、記録に使用するのは、磁気ヘッド１と３であるが、変速再生の場合、以下に説明するように磁気ヘッド１と２を使用した場合の方が、より多くの倍速数ｎで好ましい再生画像を得ることができる。先ず磁気ヘッド１と２を使用して変速再生を行う場合について説明する。
【００４３】
図１４は、ＳＰモードの場合の図１２と同様の検討をＥＰモードについて行うための図である。この図において、偶数番目の走査期間のトラックと、奇数番目の走査期間のトラックとが半トラック分ずれているのは、磁気ヘッド１が走査期間の終了時点に達したとき（時刻ｔ１、ｔ３、…）、磁気ヘッド２は、半トラック分ずれた位置から走査を開始することを考慮したからである。すなわち、ｎ＝１の通常再生では、磁気ヘッド１の出力が最大となるようにトラッキングを制御すると、磁気ヘッド２の出力は１／２となることを考慮したものである。
【００４４】
この図１４より、偶数走査期間経過後において同じトラック番号のそろばん玉波形が半周期ずれるための条件は、
ｉ×ｎ＝１０ｍ±１  （ｉ＝１，２，３，…）
となる。よって、倍速数ｎは下記式（７）で与えられる。
ｎ＝１０ｍ／ｉ±１／ｉ  （７）
【００４５】
さらにトラック番号Ｔ０とＴ５、Ｔ１とＴ６、Ｔ３とＴ７、Ｔ４とＴ８、Ｔ５とＴ９にはそれぞれ同一の画面領域の情報が記録される点を考慮すると、奇数走査期間経過後において、同じ画面領域に対応するそろばん玉波形が半周期ずれる条件が満たされる場合も、良好な再生画像が得られる。図１５を参照してその条件を求めると、
（２ｉ−１）ｎ／２＝（１０ｍ＋５）±１
となる。よって、倍速数ｎは下記式（８）で与えられる。
ｎ＝１０（２ｍ＋１）／（２ｉ−１）±２／（２ｉ−１）  （８）
【００４６】
上記式（７）（８）の変数ｉを大きくすると、画面の更新速度が遅くなる点はＳＰモードの場合と同じであり、変数ｉは、できるだけ小さな値とすることが望ましく、１０以下の設定で必要とされる倍速数を得ることができる。式（８）でｉ＝１，ｍ＝０とすると、ｎ＝８となり、これが変数ｉ＝１としたときの最小倍速数である。したがって、倍速数ｎを８より小さい値に設定する場合に、変数ｉを２以上の値に設定することが望ましい。
【００４７】
図１６は、ｎ＝９、すなわち式（７）においてｉ＝１，ｍ＝１とし、±のマイナス側を採用した場合のそろばん玉波形を示す。画面のすべての領域が更新可能であり、かつ時刻ｔ２０で元の状態に戻る（すなわち画面の更新周期は２０走査期間となる）ことがわかる。なお、この図で磁気ヘッドを切り換えるポイントで、再生信号波形のエンベロープが不連続となるのは、上述したように磁気ヘッド１が走査期間の終了時点に達したとき（時刻ｔ１、ｔ３、…）、磁気ヘッド２は、半トラック分ずれた位置から走査を開始するからである。
【００４８】
図１７（ａ）は、ｎ＝８、すなわち式（８）においてｉ＝１，ｍ＝０とし、±のマイナス側を採用した場合のそろばん玉波形を示す。この場合には、同図（ｂ）に示すように、トラック番号Ｔ０のトラックに対応するそろばん玉波形と、トラック番号Ｔ５のトラックに対応するそろばん玉波形とが半周期ずれる関係となり、同様の関係が、トラック番号Ｔ１とＴ６のトラックに対応するそろばん玉波形、トラック番号Ｔ２とＴ７のトラックに対応するそろばん玉波形、トラック番号Ｔ３とＴ８のトラックに対応するそろばん玉波形、及びトラック番号Ｔ４とＴ９のトラックに対応するそろばん玉波形についても成立する。したがって、画面のすべての領域が更新可能であり、かつ時刻ｔ１０で元の状態に戻る（すなわち画面の更新周期は１０走査期間となる）ことがわかる。このように、式（７）を用いた設定より、式（８）を用いた設定の方が画面の更新は速いので、より好ましい。式（８）は、トラック番号Ｔ０とＴ５、Ｔ１とＴ６、Ｔ３とＴ７、Ｔ４とＴ８、Ｔ５とＴ９にはそれぞれ同一の画面領域の情報が記録される点を利用しているからである。
【００４９】
次に磁気ヘッド１と３を使用する変速再生について検討する。
この場合も、磁気ヘッド１に着目した場合には、好ましい変速再生画像が得られる条件は、上記式（７）で与えられる。すなわち、式（７）は、図１４において点Ｐ０２と点Ｐｎとの距離がｎトラック分であることに基づいて導出したものであり、このことは、磁気ヘッド１と３を使用する場合でも、磁気ヘッド１についてみれば同じだからである。
【００５０】
そこで先ず倍速数ｎ＝９、すなわち式（７）においてｉ＝１，ｍ＝１とし、±のマイナス側を採用した場合について、特に磁気ヘッド３の再生波形を検討するために、磁気ヘッド１及び３の軌跡を図示すると、図１８にＨＥＰ９１及びＨＥＰ９３で示すようになる。図１８は、各ます目が１トラックに対応し、通常再生のヘッド軌跡が矢線ＨＥＰ１で示されるように、トラックとヘッド軌跡との関係を示した図である。磁気ヘッド３は、磁気ヘッド１が走査期間の半分（ＴＳ／２）に達した時点から、磁気ヘッド１と１トラック分ずれた位置から走査を開始する。これより、そろばん玉波形は、図１９に示すようになる。なお、図１９は見易くするために、磁気ヘッド３の走査期間ＴＳＨ３を、ＴＳ／２だけずらして表示している。この図から明らかなように、磁気ヘッド３の再生波形についても、そろばん玉波形が半周期ずつずれる条件が満たされており、画面のすべての領域が更新可能であり、かつ時刻ｔ２０で元の状態に戻る（すなわち画面の更新周期は２０走査期間となる）ことがわかる。
【００５１】
次に式（８）を使用した場合について検討するために、同式においてｉ＝１，ｍ＝０とし、±のマイナス側を採用してｎ＝８とした場合のそろばん玉波形を示すと、図２０に示すようになる。この設定では、時刻ｔ１０で元の状態に戻るが、画面の一部（再生波形レベルが低くなっている期間に対応する画面領域）が更新されないことがわかる。式（８）は、磁気ヘッド１のトラック番号０，２，４，６，８のトラックに対応するそろばん玉波形と、磁気ヘッド２のトラック番号５，７，９，１，３のトラックに対応するそろばん玉波形とが半周期ずれる条件、すなわち同じ画面領域に対応する偶数トラック番号のそろばん玉波形と、奇数トラック番号のそろばん玉波形とが半周期ずれる条件を表すものであるが、磁気ヘッド２に代えて磁気ヘッド３を使用する場合には、この条件が満たされなくなるからである。このように、磁気ヘッド１と３を使用する場合は、式（８）を用いて倍速数ｎを設定しても、良好な変速再生画像を得ることはできない。
【００５２】
本実施形態では、磁気ヘッド３の取り付け位置、すなわち図３に示す角度間隔θを９０度としているが、角度間隔θを変更しても、上述した検討の結果は同じである。磁気ヘッド１と３の取り付け位置の相対関係から、図２１に示すように角度間隔θの値にかかわらず、磁気ヘッド１と３のそろばん玉波形の位相は常に一致する（すなわち、磁気ヘッド１の出力が最大のとき磁気ヘッド３の出力も最大となる）からである。
【００５３】
以上の検討から、ＥＰモードの変速再生の場合には、磁気ヘッド１及び２を使用し、倍速数ｎを式（８）により設定する場合が最も良好な再生画像が得られることがわかる。
【００５４】
また、倍速数ｎを式（７）により設定する場合には、図１６、１９を参照すれば明らかなように、磁気ヘッド１、２、３の内のいずれか１つのヘッドの再生信号のみを使用しても、画面のすべての領域が更新可能であり、かつ時刻ｔ２０で元の状態に戻る（すなわち画面の更新周期は２０走査期間となる）。ＥＰモードの場合、トラック番号が偶数または奇数のトラックのみでも、画面のすべての領域の再生信号が得られるからである。
【００５５】
一方、倍速数ｎを式（８）により設定する場合には、図１７、２０を参照すれば明らかなように、磁気ヘッド１、２、３の内のいずれか１つのヘッドの再生信号のみを使用したのでは、画面の一部の領域を更新することができない。式（８）を用いて倍速数ｎを設定とする場合には、上記したように磁気ヘッド１及び３を使用しても一部更新できないので、磁気ヘッド１及び２を使用して変速再生を行うことが必須の条件となる。
【００５６】
次に倍速数ｎの許容範囲について検討する。
許容範囲を示す変数αを式（７）（８）に導入すると、下記式（７ａ）（８ａ）のように表すことができる。ここで、変数α＝０のときが、誤差０に対応する。
0003551016.tif 000002
代表例として式（８ａ）において、ｉ＝１，ｍ＝０とし、±のマイナス側を採用すると、
ｎ＝１０−２（１＋α）  （９）
となる。
【００５７】
式（９）において、変数αがマイナス方向に増加すると、倍速数ｎは、整数１０に近づいていく、すなわちそろばん玉波形の位相ずれが半周期から徐々に小さくなる。半周期より小さくなっていくと、再生される信号の重複部分が大きくなるので、画面の更新速度が低下していく。１フレームの静止画像が別の１フレームの静止画像に更新し終わるのに要する時間を、更新時間ＴＵＰと定義すると、α＝０であるときは、図１７で検討したようにＴＵＰ＝１０ＴＳ（１０走査期間）である。更新時間ＴＵＰを変数αの関数で表すと、
ＴＵＰ＝１０ＴＳ／（１＋α）  （１０）
となる。
ここで、α＝０の更新時間ＴＵＰ＝１０ＴＳの１．６７（５／３）倍の更新時間まで許容するとすると、
１０ＴＳ×（５／３）≧１０ＴＳ／（１＋α）
より、変数αの条件は、α≧−０．４となる。
【００５８】
一方変数αがプラス方向に増加すると、そろばん玉波形の位相ずれが半周期から徐々に大きくなる。半周期より大きくなっていくと、再生信号レベルが最大値の５０％より小さい領域も画面の更新に使用する必要がある。画面の更新に使用する再生信号レベルの最小値をＬＭＩＮ（％）とすると、α＝０のときＬＭＩＮ＝５０であり、変数αの関数として下記式（１１）のように表すことができる。
ＬＭＩＮ＝５０（１−α）  （１１）
【００５９】
通常は、最大レベルの３０％より小さくなると、エラーレートが急激に増加するので、３０％まで許容することにすると、
３０≦５０（１−α）
より、変数αの条件はα≦０．４となる。
【００６０】
以上より、倍速数ｎの許容範囲は、変数αが−０．４≦α≦０．４の条件を満たす範囲とすればよい。すなわち、倍速数ｎは式（７），（８）を用いて算出される値に設定することが望ましく、他の設計上の要因により式（７）（８）により得られる値そのものに設定できないときは、式（７ａ）（８ａ）において変数αをその絶対値が０．４以下となるように設定するとよい。この場合に、更新時間ＴＵＰを短縮することを優先させる場合には、変数αを増加させ、再生信号のエラーが少ないことを優先させる場合には、変数αを減少させる。
【００６１】
なお、以上の説明は分かり易くするために、回転ドラム４０に対する磁気テープ５０の巻き付け角が１８０度であり、トラックの全体に画像信号が記録されている場合を例にとって説明したが、ＤＶ規格では巻き付け角は１７４度であり、また画像信号が記録されるのは、１トラックの約８４％の範囲であるので、上述した走査期間ＴＳに対応する、実際に画像信号が得られる画像走査期間をＴＳＶとすると、
ＴＳＶ＝ＴＳ×１７４／１８０×０．８４＝０．８１ＴＳとなる。
この画像走査期間ＴＳＶを、ＳＰモードでｎ＝４．５とした場合について示すと、図２２のＴＳＶＨ１，ＴＳＶＨ２のようになる。この図から明らかなように、画像信号が得られる期間がＴＳＶＨ１，ＴＳＶＨ２の範囲に限定されるとしても、画面のすべて領域が２０走査期間で更新可能である。すなわち、上述した倍速数ｎの設定は、巻き付け角が１８０度でない場合や画像信号が１トラックの一部にのみ記録されている場合（１トラック内に分散して記録する場合も含む）でも有効である。
【００６２】
本実施形態では、ＳＰモードが特許請求の範囲に記載した基準モードに相当し、ＥＰモードが半速モードに相当する。また、特許請求の範囲に記載した「所定の相対位置関係」は、磁気ヘッド１と３の角度間隔をθ（°）としたとき、磁気ヘッド１に対する磁気ヘッド３の相対高さＨをトラック幅ＷＴ×θ／３６０とする関係に相当する。
【００６３】
なお本発明は上述した実施形態に限るものではなく、種々の変形が可能である。例えば、上述した実施形態では、ＮＴＳＣ方式でＳＰモードとＥＰモードが記録再生可能なＶＴＲを示したが、ＤＶ規格には記録データレートを変えずにテープ速度をＳＰモードの２／３とするＬＰモードが設けられており、さらに記録データレートを１／２としてテープ速度をＬＰモードの１／２とするモード（以下「ＥＬＰモード」という）が設けられている。ＬＰモードの基準モードとすれば、ＥＬＰモードはその半速モードに該当し、ＥＬＰモードの変速再生についてもＥＰモードと同様の倍速数ｎの設定を適用することができる。この場合には、ＬＰモードが特許請求の範囲に記載した基準モードに相当し、ＥＬＰモードが半速モードに相当する。
【００６４】
また、ＳＰモードを基準モードとすると、ＥＬＰモードのテープ速度は、ＶＲＥＦ×（２／３）×（１／２）＝ＶＲＥＦ／３となり、特許請求の範囲に記載した１／３速モードに相当する。すなわち、ＳＰモードと、ＬＰモードと、ＥＬＰモードとにより記録及び再生が可能なＶＴＲにおいは、ＳＰモード及びＥＬＰモードが、それぞれ基準モード及び１／３速モードに対応する。
【００６５】
またＰＡＬ（６２５／５０）方式の場合には、１フレームの画像信号が１２トラックに分割して記録される。そこで、上記式（２）（７）（８）を、１フレームをＮ個に分割して記録する場合に一般化すると、下記式（１２）（１３）（１４）が得られる。
ｎ＝Ｎｍ／２ｉ±１／２ｉ  （１２）
ｎ＝Ｎｍ／ｉ±１／ｉ      （１３）
ｎ＝Ｎ（２ｍ＋１）／（２ｉ−１）±２／（２ｉ−１）  （１４）
【００６６】
すなわち、ＥＰモードにおいて倍速数ｎは、式（１３）または（１４）を用いて得られる値を中心として設定することにより、好ましい再生画像を得ることができる。
【００６７】
また、変数ｉ＝１とした場合の最小倍速数ｎＭＩＮは、式（１４）においてｉ＝１，ｍ＝０または−１として得られる倍速数（Ｎ−２），（−Ｎ＋２）であるので、必要な倍速数ｎの絶対値が（Ｎ−２）以上のときはｉ＝１とし、（Ｎ−２）より小さいとき変数ｉを２以上とすることが望ましい。
【００６８】
また式（１４）を用いて倍速数ｎを設定し、磁気ヘッド１と２を使用する場合が、最も更新時間ＴＵＰを短くすることができる。
また式（１３）を用いて倍速数ｎを設定する場合には、磁気ヘッド１，２，３のいずれか１つのみでも、比較的良好な再生画像を得ることがきる。したがって、３つのうちのいずれか２つの組み合わせを使用しても同様である。
さらに本発明はＤＶ規格のＶＴＲに限らず、１フレームの画像を複数のトラックに分割して記録するヘリカルスキャン方式のＶＴＲに適用可能である。
【００６９】
【発明の効果】
以上詳述したように請求項１または６に記載の発明によれば、半速モードまたは１／３速モードで記録された磁気テープの変速再生を行うときは、倍速数ｎが、式（１）ｎ＝Ｎ（２ｍ＋１）／（２ｉ−１）±２／（２ｉ−１）及び式（２）ｎ＝Ｎｍ／ｉ±１／ｉの少なくとも一方を用いて得られる値の近傍の値に設定されるので、変速再生に得られる再生信号のそろばん玉状の波形の位相関係が適切なものとなり、良好な再生画像を得ることができる。
【００７０】
また請求項３または８に記載の発明によれば、半速モードまたは１／３速モードで記録された磁気テープの変速再生を行うときは、基準モード用の第１及び第２の磁気ヘッドの組が使用され、良好な再生画像を得ることができる。
【図面の簡単な説明】
【図１】本発明の一実施形態にかかるＶＴＲの記録系の構成を示すブロック図である。
【図２】本発明の一実施形態にかかるＶＴＲの再生系の構成を示すブロック図である。
【図３】磁気ヘッドの配置を示す図である。
【図４】画面（フレーム）の領域と記録トラックとの関係を説明するための図である。
【図５】磁気テープ上のトラックパターンを示す図である。
【図６】磁気ヘッドが磁気テープを走査している期間を説明するための図である。
【図７】変速再生時の磁気ヘッドの走査軌跡を説明するための図である。
【図８】変速再生時（ＳＰモード）の再生信号波形とトラック番号を示す図である。
【図９】変速再生時（ＳＰモード）の再生信号波形とトラック番号を示す図である。
【図１０】変速再生時（ＳＰモード）の再生信号波形とトラック番号を示す図である。
【図１１】変速再生時（ＳＰモード）において画面が更新される様子を説明するための図である。
【図１２】ＳＰモードにおける順方向のｎ倍速再生時及び逆方向のｎ倍速再生時の磁気ヘッドの走査軌跡を説明するための図である。
【図１３】変速再生時（ＳＰモード）の再生信号波形とトラック番号を示す図である。
【図１４】ＥＰモードにおける順方向のｎ倍速再生時及び逆方向のｎ倍速再生時の磁気ヘッドの走査軌跡を説明するための図である。
【図１５】ＥＰモードにおける順方向のｎ倍速再生時及び逆方向のｎ倍速再生時の磁気ヘッドの走査軌跡を説明するための図である。
【図１６】変速再生時（ＥＰモード、磁気ヘッド１、２使用）の再生信号波形とトラック番号を示す図である。
【図１７】変速再生時（ＥＰモード、磁気ヘッド１、２使用）の再生信号波形とトラック番号を示す図である。
【図１８】磁気ヘッド１及び３を使用した場合の走査軌跡を説明するための図である。
【図１９】変速再生時（ＥＰモード、磁気ヘッド１、３使用）の再生信号波形とトラック番号を示す図である。
【図２０】変速再生時（ＥＰモード、磁気ヘッド１、３使用）の再生信号波形とトラック番号を示す図である。
【図２１】磁気ヘッドの配置と再生信号波形との関係を説明するための図である。
【図２２】実際に画像信号が得られる期間を説明するための図である。
【符号の説明】
１，２，３  磁気ヘッド
４，５，６  記録アンプ
８  記録処理部
９  システム制御部
１０  サーボ部
１１  キャプスタンモータ
１２  ドラムモータ
２１，２２，２３  再生アンプ
２７  切換制御部
２８  再生切換回路
２９  再生処理部
４０  回転ドラム
５０  磁気テープ
【図１】
0003551016.tif 000003
【図２】
0003551016.tif 000004
【図３】
0003551016.tif 000005
【図４】
0003551016.tif 000006
【図５】
0003551016.tif 000007
【図６】
0003551016.tif 000008
【図７】
0003551016.tif 000009
【図８】
0003551016.tif 000010
【図９】
0003551016.tif 000011
【図１０】
0003551016.tif 000012
【図１１】
0003551016.tif 000013
【図１２】
0003551016.tif 000014
【図１３】
0003551016.tif 000015
【図１４】
0003551016.tif 000016
【図１５】
0003551016.tif 000017
【図１６】
0003551016.tif 000018
【図１７】
0003551016.tif 000019
【図１８】
0003551016.tif 000020
【図１９】
0003551016.tif 000021
【図２０】
0003551016.tif 000022
【図２１】
0003551016.tif 000023
【図２２】
0003551016.tif 000024